【手続補正書】
【提出日】平成19年12月17日(2007.12.17)
【手続補正１】
【補正対象書類名】特許請求の範囲
【補正対象項目名】全文
【補正方法】変更
【補正の内容】
【特許請求の範囲】
【請求項１】
冊子状のシート束の背面折り部が突出した状態で前記シート束を把持するシート束把持手段と、
前記シート束把持手段に把持された前記シート束の背面折り部を押圧する押圧手段と、を備え、
前記シート束把持手段と前記押圧手段との少なくとも一方は、前記背面折り部に沿った方向に移動可能であり、
前記押圧手段は、前記背面折り部に沿って配列された第１押圧体及び第２押圧体を有し、
前記第１押圧体及び第２押圧体は各々前記背面折り部を押圧する押圧面を備え、前記背面折り部を先に押圧する第１押圧体の押圧面よりも後から前記背面折り部を押圧する第２押圧体の押圧面の方を前記シート束側に接近させて押圧することを特徴とするシート束背面折り部平坦処理装置。
【請求項２】
前記シート束の背面折り部を受け止める受け止め手段を備え、
前記シート束把持手段が、前記受け止め手段によって受け止められた前記シート束を把持し、
前記押圧手段の第１押圧体及び第２押圧体が、前記背面折り部に沿った方向に移動しながら、前記シート束把持手段に把持された前記シート束の背面折り部を押圧することを特徴とする請求項１に記載のシート束背面折り部平坦処理装置。
【請求項３】
前記シート束の背面折り部を受け止める受け止め手段を備え、
前記シート束把持手段が、前記受け止め手段に受け止められた前記シート束を把持して前記背面折り部に沿った方向に移動し、前記シート束の背面折り部を前記第１押圧体及び第２押圧体に押圧させることを特徴とする請求項１に記載のシート束背面折り部平坦処理装置。
【請求項４】
前記第１押圧体及び第２押圧体が、回転体であることを特徴とする請求項１ないし３のいずれか１項に記載のシート束背面折り部平坦処理装置。
【請求項５】
前記シート束把持手段は、前記背面折り部と平行な案内面を有し、前記第１押圧体及び第２押圧体は、前記案内面に当接して回転移動する規制部材を備えたことを特徴とする請求項４に記載のシート束背面折り部平坦処理装置。
【請求項６】
前記第１押圧体及び第２押圧体が、押圧ローラであり、前記第１押圧ローラ及び第２押圧ローラは、前記押圧面が、同径の円周面であり、前記規制部材は、前記背面折り部を先に押圧する第１押圧ローラの押圧面よりも後から前記背面折り部を押圧する第２押圧ローラの押圧面の方が前記シート束側に接近して押圧するよう規制することを特徴とする請求項４に記載のシート束背面折り部平坦処理装置。
【請求項７】
前記背面折り部は円周面で形成され、後から前記背面折り部を押圧する第２回転体に設けられた規制部材の径よりも先に前記背面折り部を押圧する第１回転体に設けられた規制部材の径の方が大きいことを特徴とする請求項６に記載のシート束背面折り部平坦処理装置。
【請求項８】
前記第１押圧体及び第２押圧体が、押圧ローラであり、前記規制部材は、前記第１押圧ローラ及び第２押圧ローラの回転中心を通る線が前記背面折り部と平行になるよう規制し、前記第１押圧ローラ及び第２押圧ローラは、前記背面折り部を先に押圧する第１押圧ローラの押圧面が形成された部分の径よりも後から前記背面折り部を押圧する第２押圧ローラの押圧面が形成された部分の径の方が大きいことを特徴とする請求項４に記載のシート束背面折り部平坦処理装置。
【請求項９】
前記規制部材は、前記第１押圧ローラ及び第２押圧ローラの端部に設けられ、前記押圧面と前記規制部材との間に前記背面折り部を前記押圧面へ案内する案内面を備えることを特徴とする請求項５ないし８のいずれか１項に記載のシート束背面折り部平坦処理装置。
【請求項１０】
シートを束状にして折り畳む折り畳み手段と、
前記折り畳み手段によって折り畳まれた前記シート束の背面折り部を平坦にするシート束背面折り部平坦処理装置と、を備え、
前記シート束背面折り部平坦処理装置は、請求項１ないし９のいずれか１項に記載のシート束背面折り部平坦処理装置であることを特徴とするシート処理装置。
【請求項１１】
シートに画像を形成する画像形成手段と、
前記画像形成手段によって画像を形成されたシートを束状にして折り畳んだ後、前記シート束の背面折り部を平坦にするシート処理装置と、を備え、
前記シート処理装置は、請求項１０に記載のシート処理装置であることを特徴とする画像形成装置。
【手続補正２】
【補正対象書類名】明細書
【補正対象項目名】００１５
【補正方法】変更
【補正の内容】
【００１５】
上記目的を達成するため、本発明のシート束背面折り部平坦処理装置は、冊子状のシート束の背面折り部が突出した状態で前記シート束を把持するシート束把持手段と、前記シート束把持手段に把持された前記シート束の背面折り部を押圧する押圧手段と、を備え、前記シート束把持手段と前記押圧手段との少なくとも一方は、前記背面折り部に沿った方向に移動可能であり、前記押圧手段は、前記背面折り部に沿って配列された第１押圧体及び第２押圧体を有し、前記第１押圧体及び第２押圧体は各々前記背面折り部を押圧する押圧面を備え、前記背面折り部を先に押圧する第１押圧体の押圧面よりも後から前記背面折り部を押圧する第２押圧体の押圧面の方を前記シート束側に接近させて押圧する。
【手続補正３】
【補正対象書類名】明細書
【補正対象項目名】００１７
【補正方法】変更
【補正の内容】
【００１７】
上記目的を達成するため、本発明の画像形成装置は、シートに画像を形成する画像形成手段と、前記画像形成手段によって画像を形成されたシートを束状にして折り畳んだ後、前記シート束の背面折り部を平坦にするシート処理装置と、を備え、前記シート処理装置は、上記シート処理装置である。
【手続補正４】
【補正対象書類名】明細書
【補正対象項目名】００３２
【補正方法】変更
【補正の内容】
【００３２】
［第１実施形態のシート束背面折り部平坦処理装置］
（第１実施形態のシート束背面折り部平坦処理装置の構成説明）
図１ないし図７に示すように、シート束背面折り部平坦処理装置１４１（図７参照）は、冊子作成装置７９から送り込まれてきた冊子状のシート束のＵ字状に湾曲した背面折り部（背表紙）Ｓｂを、図１に示すように、第１、第２押圧体であり回転体としての第１、第２押圧ローラ９，１０によって段階的に押し込んで平坦にするようになっている。
【手続補正５】
【補正対象書類名】明細書
【補正対象項目名】００７３
【補正方法】変更
【補正の内容】
【００７３】
図１１は、本実施形態のシート束背面折り部平坦処理装置３４１の第１、第２押圧体であり回転体としての第１押圧ローラ３０９及び第２押圧ローラ１０をシート束の背面折り部側から見た図である。第１押圧ローラ３０９の押圧面としての押圧回転面３１６ａを有する押圧ローラ部３１６の上下（図１１において上下）に案内面としてのテーパ部３３１を形成してある。テーパ部３３１は、図１２に示すように、シート束の背面折り部（折り頂部）を押圧回転面３１６ａに案内するとともに、背面折り部の図１１中、上下方向への傾きを少なくすることができる。
【手続補正６】
【補正対象書類名】明細書
【補正対象項目名】００７６
【補正方法】変更
【補正の内容】
【００７６】
また、２つの押圧ローラにおいて、シート束の背面折り部を先に押圧する押圧ローラの押圧回転面よりも後から背面折り部を押圧する押圧ローラの押圧回転面の方をシート束側に接近して配列するのに、図１３、図１４に示すように配列してもよい。すなわち、２つの第１、第２押圧体であり回転体としての押圧ローラ４０９，４１０とも回転中心としての軸４２８，４２９をシート束の背面折り部に平行に配列し、背面折り部を先に押圧する第１押圧ローラ４０９の押圧ローラ部４１６の直径（Ｄ２）よりも、背面折り部を後から押圧する第２押圧ローラ４１０の押圧ローラ部４１７の直径（Ｄ３）の方を大きく（Ｄ３＞Ｄ２）することによって、第１押圧ローラ４０９の押圧面としての押圧回転面４１６ａよりも第２押圧ローラ４１０の押圧面としての押圧回転面４１７ａの方を距離Ｇだけシート束側に接近させてもよい。この場合、背面折り部Ｓｂを後から押圧する押圧ローラ部４１７が大径であるため、背面折り部を平坦な滑らかな面に仕上げることが容易である。図１３、図１４において、図１、図６と同一部分については同一符号を付してある。
【手続補正７】
【補正対象書類名】明細書
【補正対象項目名】００８１
【補正方法】変更
【補正の内容】
【００８１】
Ｓ      シート束
Ｓｂ    背面折り部
Ｓｃ    耳
Ｔ      突出部
Ｄ１、Ｄ２、Ｄ３  押圧ローラ部の直径（押圧回転面を形成された部分の径）
１      複写機（画像形成装置）
２      シート処理装置
３      複写機の装置本体
４      把持板
４ａ    ガイド面（案内面）
５      把持板
５ａ    ガイド面（案内面）
７      先端ストッパ（受け止め手段）
９      第１押圧ローラ（第１押圧体、回転体）
１０      第２押圧ローラ（第２押圧体、回転体）
１４      シート束把持装置（シート束把持手段）
１５      押圧装置（押圧手段）
１６      押圧ローラ部
１６ａ    押圧回転面（押圧面）
１７      押圧ローラ部
１７ａ    押圧回転面（押圧面）
２１      フランジ（規制部材）
２２      フランジ（規制部材）
５８      折り畳み手段
５９      折りローラ対
６１      突き板
６２      ステイプラ
６５      画像形成部（画像形成手段）
７０      ステイプラ
７８      スタックトレイ（積載手段）
７９      冊子作成装置
１４１      第１実施形態のシート束背面折り部平坦処理装置
２０１      複写機（画像形成装置）
２０２      シート処理装置
２０４      把持板
２０５      把持板
２０７      先端ストッパ（受け止め手段）
２１４      シート束把持装置（シート束把持手段）
２１５      押圧装置（押圧手段）
２４１      第２実施形態のシート束背面折り部平坦処理装置
２５０      排紙トレイ
３０９      第１押圧ローラ（第１押圧体、回転体）
３１６      押圧ローラ部
３１６ａ    押圧回転面（押圧面）
３３１      テーパ部（案内面）
３４１      第３実施形態のシート束背面折り部平坦処理装置
４０９      第１押圧ローラ（第１押圧体、回転体）
４１０      第２押圧ローラ（第２押圧体、回転体）
４１６      押圧ローラ部
４１６ａ    押圧回転面（押圧面）
４１７      押圧ローラ部
４１７ａ    押圧回転面（押圧面）
４２１      フランジ（規制部材）
４２２      フランジ（規制部材）
４２８      軸（回転中心）
４２９      軸（回転中心）